(57)【要約】【課題】地図上の複数の指標に対応する画像を順番に表示することができ、表示されている画像に対応する指標の表示を変化させて視覚を通じて理解することができる画像処理装置、画像処理方法などを提供する。【解決手段】地図画像データおよび画像ファイルを取得して、地図画像データに基づく地図画像および画像ファイルに基づく画像を表示する画像処理装置であって、少なくとも一以上の画像ファイルを特定する情報と位置を特定する情報とを関連付けて記憶する手段と、画像ファイルを特定する情報が関連付けられた位置を地図画像上に指標として表示する手段と、所定の順番に画像ファイルに基づく画像を表示する手段と、画像の表示にともなって、表示されている画像に対応する地図画像上の指標を変化させる手段とを備える画像処理装置とする。【選択図】  図６
2004304396.tif 000002
【特許請求の範囲】
【請求項１】
地図画像データおよび画像ファイルを取得して、
地図画像データに基づく地図画像および画像ファイルに基づく画像を表示する画像処理装置であって、
少なくとも一以上の画像ファイルを特定する情報と位置を特定する情報とを関連付けて記憶する手段と、
画像ファイルを特定する情報が関連付けられた位置を地図画像上に指標として表示する手段と、
所定の順番に画像ファイルに基づく画像を表示する手段と、
画像の表示にともなって、表示されている画像に対応する地図画像上の指標を変化させる手段とを備えたことを特徴とする画像処理装置。
【請求項２】
前記所定の順番を、画像ファイル毎に記憶された順番とすることを特徴とする請求項１記載の画像処理装置。
【請求項３】
前記所定の順番を、指標を指定した順番とすることを特徴とする請求項１記載の画像処理装置。
【請求項４】
前記所定の順番を、撮影日時順とすることを特徴とする請求項１記載の画像処理装置。
【請求項５】
地図画像データおよび画像ファイルを取得して、地図画像データに基づいた地図画像および画像ファイルに基づく画像を表示させるようにコンピュータを作動させるプログラムであって、
少なくとも一以上の画像ファイルを特定する情報と位置を特定する情報とを関連付けて記憶するステップと、
画像ファイルを特定する情報が関連付けられた位置を地図画像上に指標として表示するステップと、
所定の順番に画像ファイルに基づく画像を表示するステップと、
画像の表示にともなって、表示されている画像に対応する地図画像上の指標を変化させるステップとを、前記コンピュータに実行させることを特徴とするプログラム。
【請求項６】
前記所定の順番を、画像ファイル毎に記憶された順番とすることを特徴とする請求項５記載のプログラム。
【請求項７】
前記所定の順番を、指標を指定した順番とすることを特徴とする請求項５記載のプログラム。
【請求項８】
前記所定の順番を、撮影日時順とすることを特徴とする請求項５記載のプログラム。
【請求項９】
地図画像データおよび画像ファイルを取得して、地図画像データに基づいた地図画像および画像ファイルに基づく画像を表示させる画像処理方法であって、
少なくとも一以上の画像ファイルを特定する情報と位置を特定する情報とを関連付けて記憶し、画像ファイルを特定する情報が関連付けられた位置を地図画像上に指標として表示する工程と、
所定の順番に画像ファイルに基づく画像を表示する工程と、
画像の表示にともなって、表示されている画像に対応する地図画像上の指標を変化させる工程とを有することを特徴とする画像処理方法。
【請求項１０】
前記所定の順番を、画像ファイル毎に記憶された順番とすることを特徴とする請求項９に記載の画像処理方法。
【請求項１１】
前記所定の順番を、指標を指定した順番とすることを特徴とする請求項９に記載の画像処理方法。
【請求項１２】
前記所定の順番を、撮影日時順とすることを特徴とする請求項９に記載の画像処理方法。
【発明の詳細な説明】
【０００１】
【発明の属する技術分野】
本発明は、地図画像と画像ファイルに基づく画像を表示する画像表示装置に関し、画像を表示するとともに、関連付けた地図上の位置に指標を表示する画像表示装置に関するものである。
【０００２】
【従来の技術】
デジタルカメラやスキャナが普及し、簡単に画像ファイルを作成することができるようになった。
【０００３】
そして、このような画像ファイルと撮影位置などを関連付けて記憶し、地図上に撮影位置などを指標として表示することが行われている（たとえば、特許文献１）。
【０００４】
【特許文献１】
特開平８−２４０８５４号公報（請求項１など）
【０００５】
【発明が解決しようとする課題】
しかし、このような装置は、画像ファイルをファイリングするためのものであり、画像ファイルを表示することを目的として作られていない。そのため、地図と共に複数の画像ファイルに基づく画像を表示する場合に、地図上の対応する位置に指標を表示し、画像ファイルに基づき複数の画像を表示することはできるが、どの指標に対応しているかがわかりにくいといった指摘がある。また、表示することを前提に作られていないため、画像の表示順を設定することができない。
【０００６】
そこで、本発明は、地図上の複数の指標に対応する画像を順番に表示することができ、表示されている画像に対応する指標の表示を変化させて視覚を通じて理解することができる画像処理装置、画像処理方法などを提供することを目的とする。
【０００７】
【課題を解決するための手段】
本発明の画像処理装置は、地図画像データおよび画像ファイルを取得して、地図画像データに基づく地図画像および画像ファイルに基づく画像を表示する画像処理装置であって、少なくとも一以上の画像ファイルを特定する情報と位置を特定する情報とを関連付けて記憶する手段と、画像ファイルを特定する情報が関連付けられた位置を地図画像上に指標として表示する手段と、所定の順番に画像ファイルに基づく画像を表示する手段と、画像の表示にともなって、表示されている画像に対応する地図画像上の指標を変化させる手段とを備えるものである。このようにすることにより、表示されている画像ファイルに基づく画像に対応する地図上の指標を識別することが容易となる。
【０００８】
また、好ましくは画像ファイルに基づく画像を、画像ファイル毎に記憶された順番に表示するものである。さらに好ましくは、指標を指定した順番、撮影日時順に表示するものである。
【０００９】
【発明の実施の形態】
本発明の実施の形態について説明する。本発明の画像処理装置１０は、地図画像データが記憶された地図データベース１１、デジタルカメラやスキャナで作成された画像ファイルの記憶された画像データベース１２、画像ファイルを特定する情報と位置を特定する情報とを関連づけて記憶させる処理を行う関連情報記憶部１４、関連付けられた情報が記憶された関連情報データベース１３、画像ファイルが関連づけられた地図上の位置に指標を表示する処理を行う画像処理部１５、地図データベースより取得した地図画像データに基づいて地図画像を表示させる地図画像表示アプリケーション１６、画像データベースより取得した画像ファイルに基づく画像を表示させる画像ファイル表示アプリケーション１７、および画像を表示する画像表示部１８から構成される。
【００１０】
画像ファイルを特定する情報と位置を特定する情報との関連付けについて図２を参照して説明する。地図データベースより地図データを読み出し（ステップ２０１）、地図画像を表示する（ステップ２０２）。地図上の位置と関連付けたい画像ファイルを指定して（ステップ２０３）、対応付ける地図画像上の位置を指定する（ステップ２０４）。指定された位置を特定する情報、例えば座標値などを読み取り（ステップ２０５）、ファイル名などの画像ファイルを特定する情報との組をつくることにより関連付けする（ステップ２０６）ことにより行なうことができる。なお、画像ファイルの指定は、位置の指定の後でもかまわない。また、単一の座標に、複数のファイル名が関連付けられても良い。更に、ファイル名や座標のほかに、管理番号やユーザ入力によるコメントなども関連付けても良い。このように関連付けられたファイル名、座標値などは、図３（ａ）に示すように関連情報データベースに記憶される。また、前記関連情報データベースには、図３（ｂ）に示すように、表示されている地図画像上に設けられているレイヤを特定する情報、たとえば、レイヤ番号やレイヤ名が記憶されるようにしてもよい。このようにすることにより、複数の位置情報から同一レイヤ上の位置情報だけを表示することができるようになる。
【００１１】
また、画像ファイルに位置情報が付加されている場合には、画像ファイルに付加されている位置情報を読み取ることにより、地図画像上で位置を指定することなく画像ファイルと位置情報の関連付けを行うこともできる。
【００１２】
次に、画像ファイルの表示の順番指定について説明する。第１の実施の形態では図４に示すように、地図データベースより地図データを読み出し（ステップ４０１）、対応するレイヤの関連情報データベースに記憶されている座標に対応する指標を地図上に表示する（ステップ４０２）。表示されている複数の指標から、表示したい画像ファイルに対応する指標を選択する（ステップ４０３）。この場合、同じ指標に複数の画像ファイルが関連付けられている場合には、管理番号を指標として表示しても良いし、管理番号をシンボルなどの指標と一緒に表示しても良い。指標を選択すると、表示する順番の入力をうながすウインドウが表示され、番号入力欄に表示番号を入力することができる（ステップ４０４）。入力された表示番号は選択された指標に対応するファイル名と共に、関連情報データベースに記憶される（ステップ４０５）。この記憶された表示番号をもとに画像ファイルに基づく画像が表示される。続けて同じ地図上に設けられているレイヤの指標を選択し、表示する順番を指定する場合には、指標の選択（ステップ４０３）からの操作を繰り返し、異なるレイヤの指標を選択する場合には、地図データの読み出し（ステップ４０１）からの操作を繰り返し行う。
【００１３】
また、図５に示すように第２の実施の形態では、地図データベースから地図データを読み出し（ステップ５０１）、対応するレイヤの関連情報データベースに記憶されている座標に対応する指標を地図上に表示する（ステップ５０２）。表示されている複数の指標から、表示したい画像ファイルに対応する指標を選択する（ステップ５０３）。同じ指標に複数の画像ファイルが関連付けられている場合には、管理番号を指標として表示しても良いし、管理番号をシンボルなどの指標と一緒に表示しても良い。指標を指定した順番を、表示する順番である表示番号に変換する（ステップ５０４）。選択された指標に対応するファイル名と共に、表示する順番となる表示番号を関連情報データベースに記憶する（ステップ５０５）。このようにして記憶された表示番号をもとに画像ファイルに基づく画像を表示する。
【００１４】
さらに、第３の実施の形態では、撮影日時順に表示される。デジタルカメラで作成された画像ファイルには、画像ファイルに撮影日時が付加されている場合がある。この付加情報より撮影日時を読み取り、ファイル名や座標値などと対応するように関連情報データベースに記憶される。記憶された撮影日時をもとに画像ファイルに基づく画像が表示される。
【００１５】
次に、画像ファイルに基づく画像の表示の設定について説明する。表示は一律に何分などといった時間で指定することもでき、マウスなどの入力装置を操作することにより次の表示にするといったこともできる。
【００１６】
本発明の画像処理装置では、図６のように、領域６０１に画像ファイルに基づく画像を表示すると同時に領域６０２に地図画像も表示し、そして、表示されている地図画像上に設けられているレイヤの、ファイルが関連付けられた地図画像上の位置に相当する位置に指標が表示される。ここで表示される指標は、表示される画像ファイルに対応する指標だけでもよいし、複数の指標が表示されてもよい。そして、領域６０３には、ユーザ入力によるコメントが表示される。
【００１７】
画像ファイルが領域６０１に表示されると画像ファイルに対応している指標と地図画像に基づく地図が表示され、画像ファイルに対応する指標が点滅あるいは表示色が変わるなど変化する。表示時間が設定されている場合、時間経過後自動的に領域６０１に次の画像ファイルに基づく画像が表示され、地図画像上の点滅あるいは表示色が変わるなどしていた指標はもとの状態に戻り、次に表示された画像ファイルに基づく画像に対応する指標が点滅あるいは表示色が変わるなど変化する。また、表示すべき画像ファイルに対応する地図画像が表示している地図画像と異なる場合には、次の表示される画像ファイルに基づく画像が表示されるときに、領域６０２に表示されている地図画像も更新される。
【００１８】
このような画像処理装置によれば、地図画像を参照しながら、複数の画像ファイルに基づく画像を、次々に表示することができる。
【００１９】
たとえば、デジタルカメラで撮影した旅行の写真などを、撮影地点と関連付けることにより、地図画像上で撮影地点を参照しながら、表示することができる。
【００２０】
また、撮影日や、撮影場所などをグループとして、レイヤを管理することで画像ファイルを管理することができる。
【００２１】
本発明は、以上の実施の形態に限定されることなく、特許請求の範囲に記載された発明の範囲内で、種々の変更が可能であり、それらも本発明の範囲内に包含されるものであることは言うまでもない。
【００２２】
たとえば、本実施の形態においては、地図データを保存している地図データベースから地図データを取得して、地図画像を表示するように構成しているが、これに限定されるものではなく、通信回線を通じて地図データをインターネットやＬＡＮなどのネットワークを介して、サーバから取得するような構成であっても良い。
【００２３】
なお、本明細書において、一つの手段の機能が、二つ以上の物理的手段により実現されても、若しくは、二つ以上の手段の機能が、一つの物理的手段により実現されてもよい。
【００２４】
【発明の効果】
本発明によれば、地図上の複数の指標に対応する画像を順番に表示することができ、表示されている画像に対応する指標の表示を変化させて視覚を通じて理解することができる。
【図面の簡単な説明】
【図１】本発明の一実施例の構成を示すブロック図である。
【図２】本発明の一実施例における関連付け処理のフローチャートである。
【図３】本発明の一実施例における関連情報データベースが備えるデータを示す図である。
【図４】本発明の一実施例における表示順番指定処理のフローチャートである。
【図５】本発明の他の実施例における表示順番指定処理のフローチャートである。
【図６】本発明の一実施例における各画像およびコメントの表示例である。
【符号の説明】
１０    画像処理装置
１１    地図データベース
１２    画像データベース
１３    関連情報データベース
１４    関連情報記憶部
１５    画像処理部
１６    地図画像表示アプリケーション
１７    画像ファイル表示アプリケーション
１８    画像表示部
６０１  画像表示部
６０２  地図画像表示部
６０３  コメント表示部
【図１】
2004304396.tif 000003
【図２】
2004304396.tif 000004
【図３】
2004304396.tif 000005
【図４】
2004304396.tif 000006
【図５】
2004304396.tif 000007
【図６】
2004304396.tif 000008